【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
形状が１つ又は複数のストロークを有し、前記ストロークの入力とは無関係に認識する手描き形状を認識するコンピュータシステム（１００）であって、
インクが手書きのストロークを意味するインク入力を受け取る形状レコグナイザ（２０６）と、
インク入力内の閉じたコンテナ（１４０２、１４１２）を認識する前記形状レコグナイザー（２０６）に動作可能に結合されたコンテナレコグナイザ（２０８）と、
インク入力内のコネクタ（１４０６）を認識する前記形状レコグナイザー（２０６）に動作可能に結合されたコネクタレコグナイザ（２１０）と、
前記形状レコクナイザ（２０６）にインク入力を送る前記形状レコグナイザ（２０６）に動作可能に結合されたインクパーサ（２０２）と、
それらの空間的関係性に従って独立したオブジェクトに分類するインクパーサに動作可能に結合されたチャートディテクタ（２０４）と
を備えたことを特徴とするコンピュータシステム。
【請求項２】
前記チャートディテクタ（２０４）は、前記チャートディテクタ（２０４）に動作可能に結合されたコンテナディテクタ（２１２）を含むことを特徴とする請求項１に記載のコンピュータシステム。
【請求項３】
前記チャートディテクタ（２０４）は、前記チャートディテクタ（２０４）に動作可能に結合されたコネクタディテクタ（２１４）を含むことを特徴とする請求項１に記載のコンピュータシステム。
【請求項４】
前記コンテナディテクタ（２０８）は、前記コンテナディテクタに動作可能に結合された楕円形／円形分類子（２１６）を含むことを特徴とする請求項１に記載のコンピュータシステム。
【請求項５】
前記コンテナディテクタ（２０８）は、前記コンテナディテクタに動作可能に結合されたポリゴン分類子（２１８）を含むことを特徴とする請求項１に記載のコンピュータシステム。
【請求項６】
前記コンテナディテクタ（２０８）は、前記コンテナディテクタに動作可能に結合された三角形分類子（２２０）を含むことを特徴とする請求項１に記載のコンピュータシステム。
【請求項７】
前記コンテナディテクタ（２０８）は、前記コンテナディテクタに動作可能に結合された四角形分類子（２２２）を含むことを特徴とする請求項１に記載のコンピュータシステム。
【請求項８】
前記コネクタディテクタ（２１０）は、前記コネクタディテクタに動作可能に結合されたスケルトン分類子（２２４）を含むことを特徴とする請求項１に記載のコンピュータシステム。
【請求項９】
前記コネクタディテクタ（２１０）は、前記コネクタディテクタに動作可能に結合された矢印分類子（２２６）を含むことを特徴とする請求項１に記載のコンピュータシステム。
【請求項１０】
前記閉じたコンテナは、円形を含むことを特徴とする請求項１に記載のシステム。
【請求項１１】
前記閉じたコンテナは、楕円形を含むことを特徴とする請求項１に記載のシステム。
【請求項１２】
前記閉じたコンテナは、三角形を含むことを特徴とする請求項１に記載のシステム。
【請求項１３】
前記閉じたコンテナは、四角形を含むことを特徴とする請求項１に記載のシステム。
【請求項１４】
前記コネクタは、矢印を含むことを特徴とする請求項１に記載のシステム。
【請求項１５】
前記コネクタは、直線を含むことを特徴とする請求項１に記載のシステム。
【請求項１６】
前記コネクタは、曲線を含むことを特徴とする請求項１に記載のシステム。
【請求項１７】
前記コンテナは、テキストを含むことを特徴とする請求項１に記載のシステム。
【請求項１８】
請求項１のシステムを含んだコンピュータ実行可能なコンポーネントを有することを特徴とするコンピュータ可読媒体。
【請求項１９】
形状が１つ又は複数のストロークを有し、前記ストロークの入力とは無関係に認識する手描き形状を認識する方法であって、
インクが手書きのストロークを意味するインク入力を受け取るステップと、
インク入力内の各コンテナを認識するステップと、
インク入力内の各コネクタを認識するステップと、
前記インク入力を分析して前記インク入力内に描かれたものから書かれたものを識別するステップと、
前記ストロークの空間的関係性に従ってインク入力内の図面のストロークを特定するステップと
を有することを特徴とする方法。
【請求項２０】
前記インク入力内で認識された各コンテナに描かれたものを生成するステップをさらに有したことを特徴とする請求項１９に記載の方法。
【請求項２１】
前記コンテナを認識するステップは、丸みテストを行うことを特徴とする請求項１９に記載の方法。
【請求項２２】
前記コンテナを認識するステップは、楕円形／円形の認識を行うことを特徴とする請求項１９に記載の方法。
【請求項２３】
前記コンテナを認識するステップは、ポリゴンの認識を行うことを特徴とする請求項１９に記載の方法。
【請求項２４】
前記コンテナを認識するステップは、三角形の認識を行うことを特徴とする請求項１９に記載の方法。
【請求項２５】
前記コンテナを認識するステップは、四角形の認識を行うことを特徴とする請求項１９に記載の方法。
【請求項２６】
前記コンテナを認識するステップは、コンテナに属するストロークの凸包の計算を行うことを特徴とする請求項１９に記載の方法。
【請求項２７】
前記コンテナを認識するステップは、薄さ率Ｐｃｈ２／Ａｃｈを計算するステップを含み、ＰｃｈとＡｃｈは、前記コンテナのストロークを囲む凸包の周囲の長さと面積とを表すことを特徴とする請求項１９に記載の方法。
【請求項２８】
前記楕円形／円形を認識するステップは、前記コンテナのストロークを囲む最小包囲矩形を判定するステップを含むことを特徴とする請求項２２に記載の方法。
【請求項２９】
前記最小包囲矩形を正方形にするよう前記ストロークを拡大縮小するステップをさらに有したことを特徴とする請求項２８に記載の方法。
【請求項３０】
前記ポリゴンを認識するステップは、前記コンテナのストロークを囲む凸包内の最大限に内接したポリゴンを判定するステップを含むことを特徴とする請求項２３に記載の方法。
【請求項３１】
前記ポリゴンを認識するステップは、面積率Ａｎ／Ａｃｈを計算するステップを含み、Ａｎは、前記コンテナの前記ストロークを囲む凸包内の最大限に内接したｎ角形ポリゴンの面積を表し、Ａｃｈは、前記コンテナの前記ストロークを囲む前記凸包の面積を表すことを特徴とする請求項２３に記載の方法。
【請求項３２】
前記ポリゴンを認識するステップは、辺の数が最も少ない、および面積率Ａｎ／Ａｃｈが閾値よりも大きいｎ角形ポリゴンを選択するステップを含むことを特徴とする請求項２３に記載の方法。
【請求項３３】
前記ポリゴンを認識するステップは、認識されたポリゴンの辺を改善するステップを含むことを特徴とする請求項２３に記載の方法。
【請求項３４】
前記コネクタを認識するステップは、前記コネクタのストロークをカスプで断片に分けるステップを含むことを特徴とする請求項１９に記載の方法。
【請求項３５】
前記コネクタを認識するステップは、前記コネクタのスケルトンストロークを前記コネクタの矢印ストロークと類別するステップを含むことを特徴とする請求項１９に記載の方法。
【請求項３６】
請求項１９の方法を実行するコンピュータ実行可能な命令を有することを特徴とするコンピュータ可読媒体。